(57)【要約】      （修正有）【課題】放電ランプの一方の封止管が回動自在に第１のランプ支持体に支持され、他方の封止管が第２のランプ支持体に支持された光源装置を輸送する場合に、振動や衝撃が加わっても、放電ランプが破損することがない光源装置を提供することにある。【解決手段】光源装置は、発光管２１の両端に封止管２３を有する放電ランプ２と、反射鏡３と、封止管２３を支持する第１のランプ支持体５と第２のランプ支持体６とを有する光源装置１において、第１のランプ支持体は、回動自在に動くランプ保持部５ｂで一方の封止管２３を保持し、第２のランプ支持体６は、支持板７に固定されたランプ支持部６１とランプ載置部６２を有し、ランプ載置部６２に他方の封止管２３が載置され、針金８のリング状の回転部を回転させることによって、針金８が塑性変形して、他方の封止管２３がランプ載置部６２に針金によって縛られて固定されていること特徴とする。【選択図】図１
2009076418.tif 000002
【特許請求の範囲】
【請求項１】
内部に一対の電極が対向して配置された発光管とこの発光管の両端に連続して伸びる一対の封止管を有する放電ランプと、この放電ランプの発光管を取り囲むように配置された反射鏡と、この反射鏡からそれぞれの封止管が外部に伸び出し、一方の封止管を支持する第１のランプ支持体と、他方の封止管を支持する第２のランプ支持体とを有し、前記反射鏡と第１のランプ支持体と第２のランプ支持体が支持板に固定された光源装置において、
前記第１のランプ支持体は、回動自在に動くランプ保持部を有し、当該ランプ保持部で前記一方の封止管を保持し、
前記第２のランプ支持体は、前記支持板に固定されたランプ支持部と、このランプ支持部に続くランプ載置部を有し、
前記ランプ載置部に前記他方の封止管が載置され、線状体によって、前記他方の封止管が前記ランプ載置部に固定されており、
前記ランプ載置部は、前記線状体と係合する係合部を有し、
前記線状体は、針金であって、前記ランプ載置部の係合部に係合するリング状の固定部と、当該固定部に続く変形部と、当該変形部に続き前記針金を変形させるためのリング状の回転部を有し、
前記回転部を回転させることによって、針金が塑性変形して、前記他方の封止管が前記ランプ載置部に針金によって縛られて固定されていること特徴とする光源装置。
【発明の詳細な説明】
【技術分野】
【０００１】
本発明は、光源装置に係わり、特に、プロジェクタや映写機の光源に用いられる光源装置に関する。
【背景技術】
【０００２】
特許文献１には、プロジェクタや映写機の光源としてキセノンランプを用いた光源装置が開示されている。図７は、特許文献１に示されるような従来技術に係るショートアーク型のキセノンランプ１０１を用いた光源装置１００の一部断面正面図である。
同図において、ショートアーク型キセノンランプ１０１の球状の発光管１１１の内部には、ランプ点灯時におけるガス圧が２〜８ＭＰａになるようにキセノンガスが封入され、一対の電極１１２が対向配置されている。発光管１１１の両端には電極１１２を支持する不図示のリード棒が埋設された一対の封止管１１３が設けられ、各々の封止管１１３には口金１１４、１１５が設けられている。一対の電極１１２は図示しない電源に接続され、２〜７ｋＷの定格点灯電力が入力されてキセノンランプ１０１は点灯し、電極１１２間にアークスポットが発生して点光源となる。
【０００３】
キセノンランプ１０１の両端に配置される一対の口金１１４、１１５の内、一方の口金１１４を第１のランプ支持体１０２で支持することにより、一方の封止管１１３を支持することになる。また、他方の口金１１５を第２のランプ支持体１０３で支持することにより、他方の封止管１１３を支持することになる。
そして、一方の口金１１４と他方の口金１１５との間にキセノンランプ１０１の発光管１１１を囲むように反射鏡１０４、１０５が配置されている。反射鏡１０４の反射面は球面であり、反射鏡１０５の反射面は楕円面であり、反射鏡１０４、１０５の焦点とキセノンランプ１０１のアークスポットとが一致するように設けられている。第１のランプ支持体１０２と第２のランプ支持体１０３と反射鏡１０４、１０５とは１つの支持板１０６上に支持されている。
【０００４】
第１のランプ支持体１０２には、ランプ保持部１０２ａが設けられており、このランプ保持部１０２ａに口金１１４の端部が挿入されて固定されている。
第１のランプ支持体１０２には、キセノンランプ１０１を３軸方向に位置調整するための軸調整機構１０２０を有している。この軸調整機構１０２０を用いてキセノンランプ１０１を、図７に示すように、一対の電極１１２の電極軸方向であるＸ軸方向、電極軸方向に対して垂直方向でキセノンランプ１０１を支持する第１のランプ支持体１０２の伸びる方向であるＹ軸方向、Ｘ軸方向およびＹ軸方向に対してそれぞれ垂直な方向であるＺ軸方向の、３軸方向に動かして位置調整するものである。
【０００５】
図８に示すように、第２のランプ支持体１０３は、ランプ支持部１０３ａとＶ字状に形成されたランプ載置部１０３ｂが設けられており、このランプ載置部１０３ｂにキセノンランプ１０１の他方の口金１１５を載置して、他方の口金１１５を第２のランプ支持体１０３で支持する構造である。
【０００６】
このように、キセノンランプ１０１の他方の口金１１５を第２のランプ支持体１０３のランプ載置部１０３ｂに載置した状態で、一方の口金１１４を軸調整機構１０２０で３軸方向に動かす場合、ランプ保持部１０２ａは回動自在に動く必要があり、ランプ保持部１０２ａに接続された球部１０２ｂが、中心に空胴を有する輪部１０２ｃ内に回動自在に保持されているものである。
この結果、軸調整機構１０２０で３軸方向に一方の口金１１４を動かし、キセノンランプ１０１のアークスポットが反射鏡１０４、１０５の焦点に位置するように調整できるものである。
【０００７】
このような光源装置１００は、予め支持板１０６に、第１のランプ支持体１０２と第２のランプ支持体１０３と反射鏡１０４、１０５を固定しておき、さらに、キセノンランプ１０１の一方の口金１１４を第１のランプ支持体１０２で支持し、他方の口金１１５を第２のランプ支持体１０３で支持し、キセノンランプ１０１のアークスポットを反射鏡１０４、１０５に焦点に合わせた状態で、光源装置１００を映画館や屋内外のイベント会場に輸送し、その場所に設置されている映写機に組み込むものである。
【特許文献１】特開２００１−３１９５０２号公報
【発明の開示】
【発明が解決しようとする課題】
【０００８】
このような光源装置１００では、キセノンランプ１０１の他方の口金１１５は、第２のランプ支持体１０３のランプ載置部１０３ｂに載置されただけの状態であり、また、一方の口金１１４はランプ保持部１０２ａに保持されているものの回動自在に動くものであり、輸送中にＹ方向に振動や衝撃が加わった場合に、口金１１５がランプ載置部１０３ｂから浮き上がって離れ、離れた後に再び元に戻り、この現象が繰り返されると、キセノンランプ１０１が破損する恐れがあった。
【０００９】
本発明は、このような問題を解決するためになされたものであって、放電ランプの一方の封止管が回動自在に第１のランプ支持体に支持され、放電ランプの他方の封止管が第２のランプ支持体に支持された光源装置を輸送する場合に、振動や衝撃が加わっても、他方の封止管が第２のランプ支持体から浮き上がることなく固定されているので、放電ランプが破損すことがない光源装置を提供することにある。
【課題を解決するための手段】
【００１０】
請求項１に記載の本発明の光源装置は、内部に一対の電極が対向して配置された発光管とこの発光管の両端に連続して伸びる一対の封止管を有する放電ランプと、この放電ランプの発光管を取り囲むように配置された反射鏡と、この反射鏡からそれぞれの封止管が外部に伸び出し、一方の封止管を支持する第１のランプ支持体と、他方の封止管を支持する第２のランプ支持体とを有し、前記反射鏡と第１のランプ支持体と第２のランプ支持体が支持板に固定された光源装置において、前記第１のランプ支持体は、回動自在に動くランプ保持部を有し、当該ランプ保持部で前記一方の封止管を保持し、前記第２のランプ支持体は、前記支持板に固定されたランプ支持部と、このランプ支持部に続くランプ載置部を有し、前記ランプ載置部に前記他方の封止管が載置され、線状体によって、前記他方の封止管が前記ランプ載置部に固定されており、前記ランプ載置部は、前記線状体と係合する係合部を有し、前記線状体は、針金であって、前記ランプ載置部の係合部に係合するリング状の固定部と、当該固定部に続く変形部と、当該変形部に続き前記針金を変形させるためのリング状の回転部を有し、前記回転部を回転させることによって、針金が塑性変形して、前記他方の封止管が前記ランプ載置部に針金によって縛られて固定されていること特徴とする。
【発明の効果】
【００１１】
本発明の光源装置によれば、放電ランプの発光管を取り囲むように反射鏡が配置され、この反射鏡から外部にそれぞれ封止管が伸び出し、一方の封止管が第１のランプ支持体に支持され、他方の封止管が第２のランプ支持体に支持され、反射鏡と第１のランプ支持体と第２のランプ支持体が支持板に固定されており、第１のランプ支持体は、回動自在に動くランプ保持部を有し、このランプ保持部で一方の封止管を保持し、第２のランプ支持体は、支持板に固定されたランプ支持部と、このランプ支持部に続くランプ載置部を有し、ランプ載置部に他方の封止管が載置され、塑性変形する線状体である針金によって、他方の封止管がランプ載置部に縛られて固定されている。
【００１２】
この結果、光源装置を輸送する場合に、振動や衝撃が加わっても、他方の封止管が第２のランプ支持体から浮き上がることなく固定されているので、放電ランプが破損すことがないものである。
【００１３】
ランプ載置部は線状体と係合する係合部を有しており、線状体は、針金であって、ランプ載置部の係合部に係合するリング状の固定部と、この固定部に続く変形部と、この変形部に続き針金を変形させるためのリング状の回転部を有し、回転部を回転させることによって、針金が塑性変形して、他方の封止管がランプ載置部に縛られて固定されるものである。
つまり、線状体が針金であるために、耐熱性が高く、容易に入手可能なものであり、針金の回転部に棒を挿入し、棒を回転させる工程だけで、針金が塑性変形して、封止管がランプ載置部に縛られて固定されるものであり、極めた簡単な構造で封止管を第２のランプ支持体に離れないように固定することができるものである。
【発明を実施するための最良の形態】
【００１４】
以下、本願発明の光源装置を図面を用いて説明する。
図１は、本願発明の光源装置の構成を示す一部断面正面図である。
放電ランプ２は、発光管２１の内部に一対の電極２２が対向して配置され、発光管２１の両端に一対の封止管２３が連続して伸びており、一方の封止管２３には口金２４が、他方の封止管２３には口金２５が取り付けられている。発光管２１内には、ランプ点灯時におけるガス圧が２〜８ＭＰａになるようにキセノンガスが封入され、一対の電極２２は図示しない電源に接続され、２〜７ｋＷの定格点灯電力が入力されて放電ランプ２が点灯し、電極２２間にアークスポットが発生して点光源となる。この放電ランプ２はショートアーク型のキセノンランプである。
【００１５】
放電ランプ２の発光管２１を取り囲むように反射鏡３、４が配置されており、反射鏡３の反射面は球面であり、反射鏡４の反射面は楕円面であり、反射鏡３、４の焦点と放電ランプ２のアークスポットとが一致するように設けられている。
また、反射鏡３、４から放電ランプ２のそれぞれの封止管２３が反射鏡の外部に伸び出しており、口金２４を第１のランプ支持体５で支持することにより、一方の封止管２３を第１のランプ支持体５で支持している構造となっている。また、口金２５を第２のランプ支持体６で支持することにより、他方の封止管２３を第２のランプ支持体６で支持している構造となっている
【００１６】
そして、反射鏡３、４と、第１のランプ支持体５と、第２のランプ支持体６は、支持板７に固定されて光源装置１となり、この光源装置１を映画館や屋内外のイベント会場に輸送し、その場所に設置されている映写機に組み込むものである。
【００１７】
第１のランプ支持体５は、放電ランプ２を３軸方向に位置調整する軸調整機構５０とランプ保持部５６を有し、このランプ保持部５６で、口金２４を保持することにより、一方の封止管２３を保持する構造である。
なお、ランプ保持部５６に関係する構造は後段で詳細に説明する。
【００１８】
図２に示すように、第２のランプ支持体６は、支持板７に固定されたランプ支持部６１と、このランプ支持部６１に続くランプ載置部６２を有するものである。
８は線状体であり、口金２５をランプ載置部６２に固定するものである。
なお、線状体８によって、口金２５をランプ載置部６２に固定する構造は後段で詳細に説明する。
【００１９】
第１のランプ支持体５について詳細に説明する。
図３は図１に示した第１のランプ支持体５のランプ保持部周辺の一部拡大図であり、図３（ａ）は第１のランプ支持体５のランプ保持部周辺の斜視図、図３（ｂ）はＺ軸方向から見た正面図、図３（ｃ）はＸ軸方向から見た側面図、図４は図３に示した第１のランプ支持体５の回動規制体５７を拡大して示した斜視図である。
これらの図において、５１は支持台、５２は軸部、５３は球部５４を回動自在に保持する輪部、５４はボルト５５を貫通する図示されていない穴部を有する球部、５５は棒状体であるボルト、５６は放電ランプ２の口金２４を嵌入するための図示されていない開口部を有すると共に、ボルト５５に螺合される図示されていない穴部を有するランプ保持部、５６１はランプ保持部５６の前記開口部に嵌入された口金２４を固定する固定手段、５７は略Ｌ字状に形成され、ランプ保持部５６と球部５４との間に配置される回動規制体、５７１は回動規制体５７本体の平面に対して直角方向に伸びるように形成された２つの突出部、５７２は回動規制体５７に設けられる直径Ｌ１の大きさを有する穴部である。なお、回動規制体５７と輪部５３との間隔Ａは、例えば、１．５ｍｍである。
【００２０】
回動規制体５７は、図４に示すように、穴部５７２を有する平板面に対して略直角方向に突出する２つの突出部５７１が設けられており、図３に示すように、回動規制体５７の２つの突出部５７１は軸部５２を挟むように配置され、回動規制体５７の穴部５７２に、ボルト５５を挿入し、回動規制体５７の穴部５７２から突出したボルト５５にランプ保持部５６を螺合させることにより、回動規制体５７はランプ保持部５６と球部５４との間に配置される。
【００２１】
図３に示すように、ランプ保持部５６がボルト５５と螺合されると、ランプ保持部５６と球部５４の間に配置された回動規制体５７は、ランプ保持部５６と球部５４に押圧される。このため、ランプ保持部５６、回動規制体５７、球部５４およびボルト５５は一体となって動作する。球部５４は輪部５３の中で回動可能であるが、回動規制体５７の突出部５７１が軸部５２を挟むように配置されているので、ランプ保持部５６をＸ軸の周りに回動しようとすると、回動規制体５７の突出部５７１が軸部５２に当ってＸ軸の周りの回動が規制される。また、回動規制体５７と輪部５３との間には図示するように、間隔Ａの空間しかないので、ランプ保持部５６は輪部５３に対して間隔Ａの範囲内でしか動作することができず、Ｙ軸およびＺ軸の周りの回動が規制される。すなわち、回動規制体５７は輪部５３または軸部５２に当らない範囲内で回動するものであり、回動規制体５７と一体に動作するランプ保持部５６も、Ｘ軸、Ｚ軸、およびＹ軸の周り方向に、前記範囲内で回動するものである。
つまり、軸調整機構５０を動かし、放電ランプ２の位置を調整する場合、ランプ保持部５６は、Ｘ軸、Ｚ軸、およびＹ軸の周り方向に、前記範囲内で回動自在に動くものである。
【００２２】
図２に示すように、第２のランプ支持体６は、支持板に固定された直線状のランプ支持部６１と、このランプ支持部６１に続きＶ字状に形成されたランプ載置部６２を有するものである。
ランプ支持部６１とランプ載置部６２は、外径６ｍｍのＳＵＳ製の棒状部材よりなり、ランプ載置部６２には、Ｖ字状の端部が水平に伸びて線状体８が係合する係合部６２１が形成されている。
そして、このＶ字状に形成されたランプ載置部６２に他方の封止部２３に設けられた口金２５が載置されている。
【００２３】
図５は、取り付け前の線状体８の構造図である。
線状体８は、外径１ｍｍの１本のＳＵＳ製の針金を曲げ加工して製造されたものであり、両端にリング状の固定部８１が形成され、この固定部８１に続いて変形部８２が形成されており、この変形部８２に続いてリング状の回転部８３が連続して形成されている。
そして、図２中、点線で仮想的に示すように棒Ｍを回転部８３の環の中に入れ、矢印方向に回転させることにより、針金が塑性変形を起こし、変形部８２が口金２５の外周に接触しながら沿うように変形して、口金２５がランプ載置部６２に線状体８によって縛られて固定されるものである。
つまり、塑性変形する針金よりなる線状体８によって、他方の封止管２３がランプ載置部６２に縛られて固定されることになる。
【００２４】
この結果、放電ランプ２の一方の封止部２３が第１の支持体５で支持され、回動自在に動くランプ保持部５６で保持された状態であっても、放電ランプ２の他方の封止部２３が第２の支持体のランプ載置部６２から離れないように線状体８で固定されているので、輸送中に、光源装置１に振動や衝撃が加わっても、他方の封止管２３が第２のランプ支持体６から浮き上がることがなく、放電ランプ２が破損すことがないものである。
【００２５】
図６は、第２の支持体のランプ載置部の他の実施例であり、Ｖ字状のランプ載置部６２の端部近傍に、ランプ載置部６２を構成する棒状部材の一部を切り欠いた或いは凹ました凹状の係合部６２１を有するものである。
この係合部６２１に線状体８の固定部８１が係合することにより、線状体８の回転部８３を回転させる際に、固定部８１がランプ載置部６２から外れることを確実に防止できるものである。
【００２６】
なお、この光源装置１を輸送した後、映写機に組み込んで使用する場合、既に、反射鏡３、４と放電ランプ２の位置が最適な位置になっているので、線状体８を外す必要はない。
また、光源装置１を映写機に組み込んだ後、使用寿命が尽きて放電ランプを交換する場合は、線状体８を取り外して放電ランプ２を交換する。そして、新たな放電ランプをランプ保持部５６に取り付けて第１のランプ支持体５の３軸調整機構５０によって放電ランプ２を反射鏡３、４に対して最適な位置にくるように位置調整する。その後は、光源装置１を輸送する必要がないために、線状体８によって他方の封止管２３を第２のランプ支持体６に固定する必要はない。
【図面の簡単な説明】
【００２７】
【図１】本願発明の光源装置の構成を示す一部断面正面図である。
【図２】本願発明の光源装置の第２のランプ支持体を説明する斜視図である。
【図３】図１に示した第１のランプ支持体のランプ保持部周辺の一部拡大図である。
【図４】図３に示した第１のランプ支持体の回動規制体の斜視図である。
【図５】取り付け前の線状体８の構造図である。
【図６】本願発明の光源装置の他の例の第２のランプ支持体の説明図である。
【図７】従来の光源装置の構成を示す一部断面正面図である。
【図８】従来の光源装置の第２のランプ支持体を説明する斜視図である。
【符号の説明】
【００２８】
１    光源装置
２    放電ランプ
２１  発光管
２２  電極
２３  封止管
２４  口金
２５  口金
３    反射鏡
４    反射鏡
５    第１のランプ支持体
５１  ランプ保持部
６    第２のランプ支持体
６１  ランプ支持部
６２  ランプ載置部
７    支持板
８    線状体
【図１】
2009076418.tif 000003
【図２】
2009076418.tif 000004
【図３】
2009076418.tif 000005
【図４】
2009076418.tif 000006
【図５】
2009076418.tif 000007
【図６】
2009076418.tif 000008
【図７】
2009076418.tif 000009
【図８】
2009076418.tif 000010